(57)【要約】【課題】既に人がいる部屋の快適性を損なうことなく、各部屋に必要な熱量に応じて、新たに人が入室した部屋の不快感を迅速に低減するセントラル空調システムを提供する。【解決手段】制御装置６０は、予め設定された検出時期になると、複数の部屋Ａ〜Ｄについてそれぞれ熱容量Ｃｚを算出する。そして、制御装置６０は、急速空調モードのとき、算出した熱容量Ｃｚを利用して各部屋へ供給すべき熱量すなわち開閉弁３１〜３４の開放率Ｑを設定する。このとき、制御装置６０は、算出した各部屋空調熱量Ｈの総和Ｈｔが空調ユニット１２の最大空調能力Ｈｍａｘ以上であるとき、算出した各部屋空調熱量Ｈに基づいて、空調ユニット１２の最大空調能力Ｈｍａｘの熱量を比例配分する。一方、制御装置６０は、各部屋空調熱量Ｈの総和Ｈｔが空調ユニット１２の最大空調能力Ｈｍａｘ未満であるとき、各部屋について算出した各部屋空調熱量Ｈに応じた熱量を各部屋へ供給する。【選択図】図１
2011257057.tif 000002
【特許請求の範囲】
【請求項１】
熱交換した空気を供給する空調ユニットと、前記空調ユニットと家屋の複数の部屋とをそれぞれ接続し前記空調ユニットで熱交換した空気が流れる複数の空調ダクトと、前記空調ダクトにそれぞれ設けられ各前記空調ダクトを開閉する複数の開閉弁と、前記複数の部屋にそれぞれ設けられ各部屋の人の有無を検出する人検出センサと、前記複数の部屋にそれぞれ設けられ各部屋の温度を検出する温度センサと、前記人検出センサで検出した各部屋の人の有無および前記温度センサで検出した各部屋の温度に基づいて前記複数の開閉弁を開閉して前記複数の部屋の温度を部屋ごとに制御する制御装置と、を備え、一つの前記空調ユニットで前記複数の部屋を空調するセントラル空調システムにおいて、
前記制御装置は、前記複数の部屋ごとに熱容量を算出する熱容量算出処理と、前記複数の部屋ごとに人の有無を検出する人検出処理と、前記人検出処理において人を検出した有人部屋では人の在室を示す在室フラグをオンにして前記有人部屋を予め設定された通常設定温度Ｔを挟んで外気温に近い通常外気温側限界温度Ｔｃ１と外気温から遠い通常反外気温側限界温度Ｔｃ２との間の通常温度範囲ΔＴに制御する通常空調を実施する通常空調モード処理と、前記人検出処理において人を検出しない無人部屋では前記通常設定温度Ｔよりも外気温に近い不在時設定温度ｔに制御する省エネ空調を実施する不在時処理と、前記不在時設定温度ｔに制御されている部屋を前記通常設定温度Ｔへ急速空調する急速空調モード移行処理と、前記急速空調モード移行処理の後に前記急速空調モードを維持する急速空調モード処理と、前記空調ダクトのいずれかを閉鎖するダクト閉鎖処理と、を実行し、
前記制御装置は、予め設定された検出時期に前記複数の部屋ごとに熱容量を算出する熱容量算出処理を実行するとともに、前記複数の部屋を順に制御対象部屋として繰り返して制御し、前記制御対象部屋が前記無人部屋であるとき前記不在時処理を実行し、前記制御対象部屋が前記有人部屋であるとき前記制御対象部屋が前記通常空調モード処理、前記不在時処理、前記急速空調モード移行処理または前記急速空調モード処理のいずれにあるかを確認する空調モード確認処理を実行し、
前記熱容量算出処理は、前記検出時期になると、前記複数の部屋のうち熱容量の算出対象となる算出対象部屋について、前記算出対象部屋の空調を実行しながら前記算出対象部屋の温度を所定の時間間隔で複数回取得して、複数回取得した前記算出対象部屋の温度に変化が生じると、前記算出対象部屋に供給した熱量と前記算出対象部屋における温度の変化とから前記算出対象部屋の熱容量を算出して、前記複数の部屋のすべてについて前記熱容量を算出し、
前記急速空調モード処理は、前記熱容量算出処理において前記複数の部屋ごとの熱容量が算出されているとき、前記熱容量算出処理で算出した前記熱容量と前記通常設定温度Ｔに到達するまでの温度差との積から前記複数の部屋ごとに必要な各部屋空調熱量を算出し、算出した前記各部屋空調熱量の総和が前記空調ユニットの最大空調能力以上であるか否かを判断し、前記各部屋空調熱量の総和が前記空調ユニットの最大空調能力以上であるとき前記複数の部屋ごとの前記各部屋空調熱量に応じて前記最大空調能力を比例配分して前記開閉弁の開放率を設定し、前記各部屋空調熱量の総和が前記空調ユニットの最大空調能力未満であるとき前記複数の部屋に前記各部屋空調熱量に相当する前記開閉弁の開放率を設定することを特徴とするセントラル空調システム。
【請求項２】
前記空調モード確認処理は、前記通常空調モード処理の実行を示す通常空調フラグがオンであるか否かを判断し、前記通常空調フラグがオンであれば前記通常空調モード処理を実行し、前記通常空調フラグがオフであれば前記温度センサで検出した前記制御対象部屋の温度が前記通常温度範囲ΔＴにあるか否かを判断し、前記制御対象部屋の温度が前記通常温度範囲ΔＴにないとき、前記急速空調モード移行処理の実行を示す急速空調フラグがオンであるか否かを判断して前記急速空調フラグがオフであれば前記急速空調モード移行処理を実行し前記急速空調フラグがオンであれば次の制御対象部屋における処理に移行するとともに、前記制御対象部屋の温度が前記通常温度範囲ΔＴにあれば前記通常空調フラグをオンにして前記急速空調フラグをオフにして前記通常空調モード処理を実行し、
前記通常空調モード処理は、前記温度センサで前記制御対象部屋の温度を検出する温度検出処理と、前記制御対象部屋以外の非制御対象部屋のいずれかにおいて前記急速空調フラグがオンであるか否かを判断する急速空調判断処理と、前記非制御対象部屋のいずれかにおいて前記急速空調フラグがオンであれば前記急速空調フラグがオンになっている急速空調非制御対象部屋の温度と前記制御対象部屋の前記通常外気温側限界温度Ｔｃ１とを比較して、前記急速空調非制御対象部屋の温度が前記通常外気温側限界温度Ｔｃ１より外気温に近いとき前記制御対象部屋における温度制御を制限する温度制御制限フラグをオンにして前記制御対象部屋の温度制御範囲の外気温に遠い側の境界値を前記通常設定温度Ｔに設定し、前記急速空調非制御対象部屋の温度が前記通常外気温側限界温度Ｔｃ１より前記設定温度に近いとき前記制御対象部屋における前記温度制御制限フラグをオフにして前記制御対象部屋における温度制御範囲を前記通常温度範囲ΔＴに設定し、前記非制御対象部屋のいずれでも前記急速空調フラグがオフであれば前記制御対象部屋の前記温度制御制限フラグをオフにして前記制御対象部屋における温度制御範囲を前記通常温度範囲ΔＴに設定する温度範囲設定処理と、を含み、前記温度検出処理、前記急速空調判断処理および前記温度範囲設定処理の後に前記温度センサで検出した前記制御対象部屋の温度が前記温度範囲設定処理で設定された温度制御範囲のうち外気温に近い側の境界値に到達したとき、前記制御対象部屋の前記開閉弁を開放し、外気温から遠い側の境界値に到達したとき前記制御対象部屋の前記開閉弁を閉鎖し、
前記不在時処理は、前記人検出処理において前記制御対象部屋が前記無人部屋と判断されたときに実行され、前記在室フラグがオンであれば前記在室フラグをオフにして前記通常空調フラグおよび前記急速空調フラグをオフにするとともに、前記非制御対象部屋のいずれかにおいて前記急速空調フラグがオンであるか否かを判断し、前記非制御対象部屋のいずれかにおいて前記急速空調フラグがオンであれば前記制御対象部屋における温度制御を停止し、前記非制御対象部屋のいずれかにおいて前記急速空調フラグがオフであれば前記制御対象部屋を前記不在時設定温度に制御し、
前記急速空調モード移行処理は、前記制御対象部屋における前記在室フラグおよび前記急速空調フラグをオンして、前記制御対象部屋における前記開閉弁を全開にすることを特徴とする請求項１記載のセントラル空調システム。
【発明の詳細な説明】
【技術分野】
【０００１】
本発明は、一つの空調ユニットで家屋の複数の部屋を空調するセントラル空調システムに関する。
【背景技術】
【０００２】
例えばヒートポンプなどの一つの空調ユニットを用いて家屋の複数の部屋を空調するセントラル空調システムが公知である。セントラル空調システムでは、空調ユニットと各部屋との間を空調ダクトで接続し、空調ユニットにおける熱交換で生成した冷気または暖気を空調ダクトを経由して各部屋へ供給している。このセントラル空調システムの制御装置は、空調ユニットから送られた冷気または暖気を利用して、各部屋ごとに所望の設定温度に制御している。
【０００３】
このようなセントラル空調システムにおいても、近年の省エネルギーへの対応は不可欠である。そこで、セントラル空調システムの場合、省エネルギーへの対応のために、制御装置は、家屋に設けられた複数の部屋のうち、人が在室している部屋では設定温度に近似した快適温度に制御し、人が不在の部屋では設定温度との間に数℃の幅をもたせた省エネ温度に制御することが提案されている（特許文献１参照）。
【先行技術文献】
【特許文献】
【０００４】
【特許文献１】特開平１１−２９４８３９号公報
【発明の概要】
【発明が解決しようとする課題】
【０００５】
しかしながら、特許文献１のように人の在室または不在を条件として温度の制御を切り替える場合、不在の部屋に人が入室しても、人が入室した部屋の温度を迅速に変更することは困難である。すなわち、セントラル空調システムは、１つの冷気暖気供給源である熱交換ユニットから供給された冷気または暖気を利用して家屋の複数の部屋を同時に空調している。そのため、セントラル空調システムの場合、既に人がいる部屋の快適さを維持したまま、新たに人が入室した部屋を急速に快適にすることは既に人がいる部屋の数がある程度存在しているような状況となると困難であることがある。一方、そのような場合でも、例えば空調を停止することにより既に人がいる部屋の快適さを犠牲にすれば、新たに人が入室した部屋を急速に快適にすることも可能となる。しかし、複数の部屋で快適性の維持が重要なセントラル空調システムの場合、いずれかの部屋の快適性を犠牲にすることは好ましくない。また、複数の部屋は、部屋の大きさ、すなわち容積が異なるだけでなく、日照条件も同一ではなく、更に当該部屋自身であっても日々刻々と当該部屋の温度を目標温度に制御するために必要な熱量が変化する。具体的には、各部屋の容積は配置される家具などによっても変化する。さらに、南向きの部屋と北向きの部屋、夏季と冬季、晴れの日と雨の日、あるいは日中と夜間など、部屋の配置や季節あるいは時刻などによって温度を制御するために必要な熱量が変化する。つまり、同一の部屋であってすらも、夏季の日中と夜間では、部屋の温度を１℃変化させるために必要な熱量が異なる。このように、現在の部屋の温度と各部屋に設定されている目標となる温度との間の温度差にのみ着目して、空調のための冷気や暖気を供給しただけでは迅速な温度の制御が難しいという問題がある。
【０００６】
そこで、本発明の目的は、部屋の容積や日照条件など刻々と変化する環境を考慮し、既に人がいる部屋の快適性を損なうことなく、新たに人が入室した部屋の不快感を迅速に低減するセントラル空調システムを提供することにある。
【課題を解決するための手段】
【０００７】
請求項１記載の発明では、制御装置は、複数の部屋について熱容量を算出している。熱容量算出処理は、予め設定された検出時期になると実行される。具体的には、制御装置は、検出時期になると、算出対象部屋について所定の時間間隔で温度を複数回取得する。このとき、算出対象部屋には、冷気または暖気が供給されて空調が実行されている。この所定の時間間隔で取得した算出対象部屋の温度の変化と、空調によって供給されている冷気または暖気の熱量すなわち冷気または暖気の供給量とから、制御装置はこの算出対象部屋についての熱容量を算出する。そして、制御装置は、急速空調を維持する急速空調モードのとき、既に算出した熱容量を利用して各制御対象部屋へ供給すべき熱量すなわち開閉弁の開放率を設定する。このとき、各制御対象部屋について算出した各部屋空調熱量の総和が空調ユニットの最大空調能力以上であるとき、空調ユニットから各制御対象部屋へ供給する熱量は不足する。そのため、制御装置は、各制御対象部屋について算出した各部屋空調熱量に基づいて、空調ユニットの最大空調能力の熱量を比例配分する。これにより、より大きな熱量が必要な制御対象部屋に優先してより大きな熱量が供給される。これに対し、各制御対象部屋について算出した各部屋空調熱量の総和が空調ユニットの最大空調能力未満であるとき、空調ユニットから各制御対象部屋へ供給する熱量は不足がない。そのため、制御装置は、各制御対象部屋について算出した各部屋空調熱量に応じた熱量を各制御対象部屋へ供給する。これにより、各制御対象部屋は、空調ユニットから供給された冷気または暖気によって急速に空調される。したがって、部屋の容積や日照時間など時々刻々と変化する各部屋の環境を考慮し、既に人がいる部屋の快適性を損なうことなく、新たに人が入室した部屋の不快感を低減しつつ、制御対象部屋の温度を迅速に変化させることができる。
【０００８】
請求項２記載の発明では、制御装置は、複数の部屋のうちいずれかの部屋で通常空調モードを実施しているとき、他のいずれかの部屋で不在時設定温度から通常設定温度へ移行する、すなわち急速空調モードへ移行しているか否かを判断する。制御装置は、他の部屋のいずれかで急速空調が実施されている場合、通常空調モードで空調を実施している部屋の空調を制限し、急速空調を実施している部屋へ冷気または暖気を集中して供給する。これにより、通常空調を実施している部屋における不快感を増大させることなく、新たに人が入室した部屋の温度を迅速に変化させることができる。
【０００９】
例えば、冷房時においてある部屋Ａが設定温度（２６℃）を挟んで通常外気温側限界温度（２８℃）と通常反外気温側限界温度（２４℃）との間に設定されているとき、他の部屋Ｂで急速空調を実施する場合、部屋Ａでは温度制御する外気温に近い側の境界値が通常反外気温側限界温度（２４℃）より外気温に近い通常設定温度（２６℃）に設定される。このように部屋Ａにおける外気温に近い側の境界値を外気温に近づけて開閉弁の開閉を制御することにより、部屋Ａにおける開閉弁の閉鎖時期が早められ、急速空調が必要な部屋Ｂにはより集中して冷気が供給される。一方、部屋Ａは、通常反外気温側限界温度（２４℃）までは低下しないものの、通常設定温度（２６℃）までは低下する。そのため、部屋Ａは、通常の設定温度の範囲内である通常設定温度（２６℃）と通常外気温側限界温度（２８℃）との間で温度が制御される。その結果、部屋Ａにおける平均温度は２７℃となり、通常の外気温側限界温度（２８℃）を超えることはない。したがって、既に人がいる部屋の快適性を損なうことなく、新たに人が入室した部屋の不快感を迅速に低減することができる。
【図面の簡単な説明】
【００１０】
【図１】一実施形態によるセントラル空調システムを適用した家屋を示す模式図であり、部屋Ａに人が在室している状態を示す図
【図２】一実施形態によるセントラル空調システムを適用した家屋を示す模式図
【図３】一実施形態によるセントラル空調システムを示すブロック図
【図４】一実施形態によるセントラル空調システムにおける時間と温度との関係を示す概略図であり、（Ａ）は冷房時の通常設定温度および不在時設定温度を示し、（Ｂ）は制御対象部屋における冷房時の急速空調モードおよび通常空調モードの温度変化を示す
【図５】冷房時および暖房時における通常設定温度および不在時設定温度の制御範囲を示す模式図
【図６】一実施形態によるセントラル空調システムの全体的な処理の流れを示す概略図
【図７】一実施形態によるセントラル空調システムにおける部屋Ａの空調制御処理の流れを示す概略図
【図８】一実施形態によるセントラル空調システムにおける熱容量算出処理の流れを示す概略図
【図９】一実施形態によるセントラル空調システムにおける部屋Ａの人検出処理の流れを示す概略図
【図１０】一実施形態によるセントラル空調システムにおける部屋Ａの不在時処理の流れを示す概略図
【図１１】一実施形態によるセントラル空調システムにおける部屋Ａの空調モード確認処理の流れを示す概略図
【図１２】一実施形態によるセントラル空調システムにおける部屋Ａの急速空調モード移行処理の流れを示す概略図
【図１３】一実施形態によるセントラル空調システムにおける部屋Ａの通常空調モード処理の流れを示す概略図
【図１４】一実施形態によるセントラル空調システムにおける部屋Ａおよび部屋Ｃの温度変化を示す概略図
【図１５】一実施形態によるセントラル空調システムにおける急速空調モード処理の流れを示す概略図
【図１６】一実施形態によるセントラル空調システムにおける部屋Ａおよび部屋Ｂの温度の時間的な変化を示す概略図
【図１７】一実施形態によるセントラル空調システムにおける部屋Ａ、部屋Ｂおよび部屋Ｃの温度の時間的な変化を示す概略図
【発明を実施するための形態】
【００１１】
以下、本発明によるセントラル空調システムの複数の実施形態について図面に基づいて説明する。なお、複数の実施形態において実質的に同一の構成部位には同一の符号を付し、説明を省略する。
まず、一実施形態によるセントラル空調システムの構成について説明する。セントラル空調システム１０は、図１および図２に示すように複数の部屋Ａ、部屋Ｂ、部屋Ｃおよび部屋Ｄを有する家屋１１に設けられている。ここでは、説明の簡単のために、四つの部屋Ａ〜部屋Ｄを有する家屋１１を例にして説明する。セントラル空調システム１０は、図１から図３に示すように空調ユニット１２と、空調ダクト２１〜２４と、開閉弁３１〜３４と、四つの部屋Ａ〜部屋Ｄにそれぞれ設けられている温度センサ４１〜４４および人検出センサ５１〜５４と、制御装置６０とを備えている。
【００１２】
空調ユニット１２は、例えば室外機と室内機とからなり、ヒートポンプなど周知の熱交換機を有する。これにより、空調ユニット１２は、各部屋Ａ〜部屋Ｄへ冷気または暖気を供給する。空調ダクト２１は、空調ユニット１２と部屋Ａとを接続している。同様に空調ダクト２２は空調ユニット１２と部屋Ｂとを接続し、空調ダクト２３は空調ユニット１２と部屋Ｃとを接続し、空調ダクト２４は空調ユニット１２と部屋Ｄとを接続している。各空調ダクト２１〜２４の部屋Ａ〜Ｄ側は、それぞれ空調ユニット１２から供給された冷気または暖気が吹き出す吹出口２５〜２８を形成している。開閉弁３１〜３４は、これらの空調ダクト２１〜２４にそれぞれ設けられている。すなわち、開閉弁３１は空調ダクト２１を開閉し、開閉弁３２は空調ダクト２２を開閉し、開閉弁３３は空調ダクト２３を開閉し、開閉弁３４は空調ダクト２４を開閉する。
【００１３】
制御装置６０は、例えばＣＰＵ、ＲＯＭおよびＲＡＭからなるマイクロコンピュータで構成されており、ＲＯＭに記憶されているコンピュータプログラムにしたがってセントラル空調システム１０を総括的に制御する。制御装置６０は、上述の空調ユニット１２および各開閉弁３１〜３４に接続している。空調ユニット１２は、制御装置６０からの指示により冷気または暖気のいずれを生成するかを切り替えるとともに、その生成量を変更する。各開閉弁３１〜３４は、制御装置６０からの指示により対応する空調ダクト２１〜２４を開放または閉鎖する。
【００１４】
制御装置６０は、各部屋Ａ〜Ｄに設けられている温度センサ４１〜４４に接続している。温度センサ４１は、部屋Ａの温度を検出し、検出した温度を電気信号として制御装置６０へ出力する。同様に、温度センサ４２は検出した部屋Ｂの温度を電気信号として制御装置６０へ出力し、温度センサ４３は検出した部屋Ｃの温度を電気信号として制御装置６０へ出力し、温度センサ４４は検出した部屋Ｄの温度を電気信号として制御装置６０へ出力する。また、制御装置６０は、各部屋Ａ〜Ｄに設けられている人検出センサ５１〜５４に接続している。人検出センサ５１は、図１に示すように例えば赤外線や画像などにより部屋Ａにおける人７０の有無を検出し、検出した人７０の有無を電気信号として制御装置６０へ出力する。同様に、人検出センサ５２は検出した部屋Ｂの人７０の有無を電気信号として制御装置６０へ出力し、人検出センサ５３は検出した部屋Ｃの人７０の有無を電気信号として制御装置６０へ出力し、人検出センサ５４は検出した部屋Ｄの人７０の有無を電気信号として制御装置６０へ出力する。
【００１５】
制御装置６０は、人検出センサ５１〜５４で検出した各部屋Ａ〜Ｄごとの人７０の有無、および温度センサ４１〜４４で検出した各部屋Ａ〜Ｄごとの温度に基づいて、各空調ダクト２１〜２４を開閉する開閉弁３１〜３４の開度を調整する。これにより、制御装置６０は、人７０の有無および温度に基づいて各部屋Ａ〜Ｄごとに温度を制御する。
【００１６】
次に、上記の構成によるセントラル空調システム１０の作動について説明する。
（空調モード）
制御装置６０は、家屋１１の部屋Ａ〜Ｄにおける人７０の有無に応じて、通常空調を実施する通常空調モード、省エネ空調を実施する省エネ空調モード、または急速空調を実施する急速空調モードのいずれかで運転する。通常空調モードのとき、図４（Ａ）に示すように各部屋Ａ〜Ｄは予め設定されている通常設定温度Ｔに制御される。省エネ空調モードのとき、各部屋Ａ〜Ｄは、予め設定され通常空調よりも外気温に近い不在時設定温度ｔに制御される。例えば冷房時において通常設定温度Ｔを２５℃に設定しているとき、不在時設定温度ｔはより負荷が小さく外気温に近い２８℃などに設定される。一方、暖房時において通常設定温度Ｔを２５℃に設定しているとき、不在時設定温度ｔはより外気温に近い２２℃などに設定される。
【００１７】
急速空調モードのとき、例えば図４（Ｂ）に示すように人７０が検出された部屋Ａは不在時設定温度ｔから予め設定されている通常設定温度Ｔへ迅速に移行させるために集中的に空調される。これにより、急速空調されている部屋Ａは、図４（Ｂ）の実線で示すように破線で示す通常空調に比較して迅速に通常設定温度Ｔへ移行する。一方、部屋Ａについて急速空調されるとき、空調ユニット１２で生成された冷気または暖気は、部屋Ａへ集中的に供給される。これにより、図４（Ｂ）の実線で示すように部屋Ａの温度は迅速に通常設定温度Ｔへ移行する。一方、部屋Ａ以外の部屋Ｂ、部屋Ｃおよび部屋Ｄでは、部屋Ａの急速空調にともない一時的に空調が制限される。なお、図４では、説明の簡単のため、部屋Ａ〜Ｄにおける平均的な温度の変化を示している。
【００１８】
部屋Ａが通常空調モードであるとき、制御装置６０は部屋Ａの温度を通常設定温度Ｔを挟んで外気温に近い通常外気温側限界温度Ｔｃ１と外気温から遠い通常反外気温側限界温度Ｔｃ２との間の通常温度範囲ΔＴに制御する。例えば冷房の場合、図５に示すように通常設定温度Ｔを２５℃とすると、通常外気温側限界温度Ｔｃ１は２６℃、通常反外気温側限界温度Ｔｃ２は２４℃などに設定される。また、暖房の場合、例えば通常設定温度Ｔを２５℃とすると、通常外気温側限界温度Ｔｃ１は２４℃、通常反外気温側限界温度Ｔｃ２は２６℃などに設定される。制御装置６０は、この通常設定温度Ｔを挟む通常外気温側限界温度Ｔｃ１と通常反外気温側限界温度Ｔｃ２との間の通常温度範囲ΔＴ内に部屋Ａの温度を制御する。
【００１９】
例えば通常空調モードにおける冷房の場合、部屋Ａの温度が通常外気温側限界温度Ｔｃ１＝２６℃に達すると、制御装置６０は空調ダクト２１の開閉弁３１を開放し、部屋Ａへ冷気を供給する。冷気を供給した結果、部屋Ａの温度が通常反外気温側限界温度Ｔｃ２＝２４℃に低下すると、制御装置６０は空調ダクト２１の開閉弁３１を閉鎖し、部屋Ａへの冷気の供給を停止する。これにより、部屋Ａの温度は、平均して通常設定温度Ｔ＝２５℃に制御される。同様に、暖房の場合、部屋Ａの温度が通常外気温側限界温度Ｔｃ１＝２４℃に達すると、制御装置６０は空調ダクト２１の開閉弁３１を開放し、部屋Ａへ暖気を供給する。暖気を供給した結果、部屋Ａの温度が通常反外気温側限界温度Ｔｃ２＝２６℃に達すると、制御装置６０は空調ダクト２１の開閉弁３１を閉鎖し、部屋Ａへの暖気の供給を停止する。これにより、部屋Ａの温度は、平均して通常設定温度Ｔ＝２５℃に制御される。部屋Ａ以外の部屋Ｂ〜Ｄについても同様である。なお、上記の部屋Ａの温度は説明を簡略化するための例示であり、外気温に近い側と外気温に遠い側とで通常設定温度Ｔからの温度差を変更してもよく、冷房時と暖房時とで通常設定温度Ｔからの温度差を変更してもよい。
【００２０】
また、部屋Ａが省エネ空調モードであるとき、制御装置６０は部屋Ａの温度を不在時設定温度ｔを挟んで外気温に近い不在時外気温側限界温度ｔｃ１と外気温から遠い不在時反外気温側限界温度ｔｃ２との間の不在時温度範囲Δｔに制御する。例えば冷房の場合、通常設定温度Ｔを２５℃とすると、不在時設定温度ｔは３０℃に設定され、不在時外気温側限界温度ｔｃ１は３１℃、不在時反外気温側限界温度ｔｃ２は２９℃などに設定される。また、暖房の場合、例えば通常設定温度Ｔを２５℃とすると、不在時設定温度ｔは２０℃に設定され、不在時外気温側限界温度ｔｃ１は１９℃、不在時反外気温側限界温度ｔｃ２は２１℃などに設定される。これにより、部屋Ａは、省エネ空調モードのとき、不在時温度範囲Δｔの間で温度が制御される。その結果、省エネ空調モードでは、通常空調モードに比較して負荷が低減される。なお、上記の部屋Ａの温度は説明を簡略化するための例示である。
【００２１】
（全体的な処理）
まず、図６に基づいてセントラル空調システム１０の全体的な処理の流れについて説明する。
制御装置６０は、セントラル空調システム１０の電源がオンされると、空調ユニット１２を起動する空調ユニット起動処理を実行する（Ｓ１００）。制御装置６０は、空調ユニット１２が起動されると、各部屋Ａ〜Ｄごとに人７０の有無を検出する人検出処理を実行する（Ｓ２００）。人検出処理では、各部屋Ａ〜Ｄのいずれかに人７０がいるか否かが検出される。制御装置６０は、各部屋Ａ〜Ｄごとに設けられている人検出センサ５１〜５４から出力される電気信号に基づいて、各部屋Ａ〜Ｄごとに人７０の有無を検出する。
【００２２】
制御装置６０は、Ｓ２００において人７０が検出された有人部屋では人７０の在室フラグを「オン」にするとともに、その有人部屋に対して通常設定温度Ｔに制御する通常空調を実施する通常空調処理を実行する（Ｓ３００）。一方、制御装置６０は、Ｓ２００において人７０が検出されなかった無人部屋では不在時設定温度ｔに制御する省エネ空調処理を実施する省エネ空調処理を実行する（Ｓ４００）。そして、Ｓ３００における通常空調処理およびＳ４００における省エネ空調処理を実行すると、制御装置６０は各部屋Ａ〜Ｄごとに個別に温度を制御する各部屋空調制御処理へ移行する（Ｓ５００〜Ｓ８００）。制御装置６０は、セントラル空調システム１０の電源がオフになるまで、Ｓ５００〜Ｓ８００の各部屋空調制御処理を繰り返す。
【００２３】
（各部屋空調制御処理）
次に、図７に基づいて各部屋空調制御処理の流れについて説明する。
ここでは、図７に基づいてＳ５００における部屋Ａの空調制御処理の流れについて説明する。なお、Ｓ６００における部屋Ｂの空調制御処理、Ｓ７００における部屋Ｃの空調制御処理およびＳ８００における部屋Ｄの空調制御処理は、いずれも部屋Ａの空調制御処理と実質的に同一であるので、説明を省略する。
【００２４】
制御装置６０は、Ｓ８００における部屋Ｄの空調制御処理が完了すると、Ｓ５００へリターンして部屋Ａの空調制御処理へ移行する。制御装置６０は、部屋Ａの空調制御処理へ移行すると、熱容量算出処理へ移行する（Ｓ５０１）。制御装置６０は、Ｓ５０１の熱容量算出処理において制御対象部屋である部屋Ａについて熱容量算出処理を実行する。ここで、Ｓ５０１における熱容量算出処理の詳細について図８に基づいて説明する。
【００２５】
制御装置６０は、熱容量算出処理へ移行すると、検出時期になったか否かを判断する（Ｓ５０１１）。具体的には、制御装置６０は、例えば自身で有している図示しない計時手段によって時刻を検出し、検出時期になったか否かを判断する。この検出時期は、予め設定されており、例えば毎日１回や毎日２時間ごとなど任意に設定されている。制御装置６０は、検出時期になったと判断すると（Ｓ５０１１：Ｙｅｓ）、熱容量計算完了フラグを「オフ」にするとともに、計算回数カウンタのカウントをｎ＝１とする（Ｓ５０１２）。熱容量計算完了フラグは、図８に示す熱容量算出処理の完了を示すフラグである。
【００２６】
制御装置６０は、Ｓ５０１２の処理の後、計算回数カウンタのカウントｎにおける部屋Ａの温度Ｔ（ｎ）を取得し、計算回数カウンタのカウントをｎ＝ｎ＋１とインクリメントする（Ｓ５０１３）。具体的には、制御装置６０は、温度センサ４１から部屋Ａの温度Ｔ（ｎ）を取得し、これを図示しない制御装置６０自身の記憶部に記憶する。
【００２７】
制御装置６０は、カウントｎにおける部屋Ａの温度Ｔ（ｎ）を取得し、計算回数カウンタをインクリメントすると、計算回数カウンタのカウントｎがｎ＞２であるか否かを判断する（Ｓ５０１４）。例えば、図８に示す処理を初めて実行するとき、カウントｎの初期値はｎ＝１である。そのため、最初の処理では、Ｓ５０１３においてｎ＝２にインクリメントされる。したがって、各部屋において２回以上の温度を取得するためには、処理が２回目以降、すなわちＳ５０１４においてｎ＞２となる必要がある。制御装置６０は、計算回数カウンタのカウントｎがｎ＞２であると判断すると（Ｓ５０１４：Ｙｅｓ）、既に取得して記憶しているカウント（ｎ−１）における部屋Ａの温度Ｔ（ｎ−１）と、Ｓ５０１３で取得したカウント（ｎ）における部屋Ａの温度Ｔ（ｎ）との間に温度の変化が生じているか否かを判断する（Ｓ５０１５）。すなわち、制御装置６０は、前回の処理で取得した部屋Ａの温度Ｔ（ｎ−１）と、今回の処理で取得した部屋Ａの温度Ｔ（ｎ）との間に、冷房時であれば温度の下降、暖房時であれば温度の上昇があったか否かを判断する。冷房時であれば温度の下降、または暖房時であれば温度の上昇があった場合、部屋Ａは空調ユニット１２から供給された冷気または暖気によって室温の変化が生じている。そこで、制御装置６０は、この温度の変化が生じているとき（Ｓ５０１５：Ｙｅｓ）、この温度の変化が生じている部屋の温度を、１℃変化させるために必要な熱量すなわち熱容量Ｃｚを算出する（Ｓ５０１６）。具体的には、制御装置６０は、部屋Ａについての熱容量Ｃｚａを、次の式（１）に基づいて算出する。
Ｃｚａ＝Ｏｔ×Ｑａ／（Ｑａ＋Ｑｂ＋Ｑｃ＋Ｑｄ）／ΔＴａ      （１）
【００２８】
ここで、Ｏｔは、カウント（ｎ−１）からカウント（ｎ）の間において空調ユニット１２から出力された熱量である。また、Ｑａ、Ｑｂ、ＱｃおよびＱｄは、各部屋Ａ〜Ｄにおける開閉弁３１〜３４の開放率である。さらに、ΔＴは、部屋Ａについて、カウント（ｎ−１）における温度Ｔ（ｎ）と、カウント（ｎ−１）における温度Ｔ（ｎ）との温度差の絶対値、すなわちΔＴａ＝｜Ｔ（ｎ）−Ｔ（ｎ−１）｜である。制御装置６０は、この式（１）を用いることにより、部屋Ａへ供給する熱量およびこの熱量による部屋Ａの温度の変化に基づいて、部屋Ａの温度を１℃変化させるために必要な熱量、すなわち熱容量を算出する。
【００２９】
制御装置６０は、Ｓ５０１６において、部屋Ａについて熱容量Ｃｚａを算出すると、熱容量計算完了フラグを「オン」にし（Ｓ５０１７）、図７に示す処理へリターンする。また、制御装置６０は、Ｓ５０１１において検出時期でないと判断すると（Ｓ５０１１：Ｎｏ）、熱容量計算完了フラグが「オフ」であるか否かを判断する（Ｓ５０１８）。制御装置６０は、熱容量計算完了フラグが「オフ」であるとき（Ｓ５０１８：Ｙｅｓ）、熱容量Ｃｚａの計算が完了していないと判断し、Ｓ５０１３へ移行して処理を継続する。一方、制御装置６０は、Ｓ５０１８において熱容量計算完了フラグが「オフ」でない、すなわち「オン」であると判断すると（Ｓ５０１８：Ｎｏ）、現段階の処理では熱容量Ｃｚａの計算が完了したと判断し、図７に示す処理へリターンする。
【００３０】
制御装置６０は、Ｓ５０１４において、計算回数カウンタのカウント（ｎ）が２以下であると判断すると（Ｓ５０１４：Ｎｏ）、図７に示す処理へリターンする。すなわち、ｎが２以下であるとき、各部屋の温度の取得回数は０回または１回である。したがって、制御装置６０は、２回目以降の温度の取得へ移行する。また、制御装置６０は、Ｓ５０１５において、カウント（ｎ）とカウント（ｎ−１）との間で温度の変化が生じていないと判断したとき（Ｓ５０１５：Ｎｏ）、熱容量Ｃｚａの算出ができないため、図７に示す処理へリターンする。制御装置６０は、検出時期に到達したとき、図６に示すメインルーチンを少なくとも２回繰り返すことにより、部屋Ａについての熱容量Ｃｚａを算出することができる。制御装置６０は、メインルーチンを実行することにより、部屋Ａの熱容量Ｃｚａだけでなく、部屋Ｂ、部屋Ｃおよび部屋Ｄについてそれぞれ熱容量Ｃｚｂ、熱容量Ｃｚｃおよび熱容量Ｃｚｄを算出する。この場合、上記の式（１）は、各部屋Ｂ〜Ｃについて下記のように示される。
部屋Ｂ：Ｃｚｂ＝Ｏｔ×Ｑｂ／（Ｑａ＋Ｑｂ＋Ｑｃ＋Ｑｄ）／ΔＴｂ      （１ｂ）
部屋Ｃ：Ｃｚｃ＝Ｏｔ×Ｑｃ／（Ｑａ＋Ｑｂ＋Ｑｃ＋Ｑｄ）／ΔＴｃ      （１ｂ）
部屋Ｄ：Ｃｚｄ＝Ｏｔ×Ｑｄ／（Ｑａ＋Ｑｂ＋Ｑｃ＋Ｑｄ）／ΔＴｄ      （１ｂ）
【００３１】
制御装置６０は、上述のように熱容量算出処理を実行し、条件に応じて部屋Ａの空調制御処理へリターンする。部屋Ａの空調制御処理では、制御装置６０は制御対象部屋である部屋Ａにおける人７０の有無を検出する人検出処理を実行する（Ｓ５０２）。制御装置６０は、Ｓ２００と同様に部屋Ａの人検出センサ５１からの電気信号に基づいて部屋Ａの人７０の有無を検出する。
【００３２】
制御装置６０は、Ｓ５１０において部屋Ａに人７０が検出されない場合（Ｓ５０２：Ｎｏ）、不在時処理へ移行する（Ｓ５０３）。一方、制御装置６０は、Ｓ５０２において部屋Ａに人７０が検出された場合（Ｓ５０２：Ｙｅｓ）、部屋Ａの空調モードを確認する空調モード確認処理を実行する（Ｓ５０４）。ここで、Ｓ５０２において部屋Ａに人７０が検出され、かつＳ５０４で確認された空調モードが通常空調モードであるとき（Ｓ５０５）、制御装置６０は通常空調モードを継続する通常空調モード処理へ移行する（Ｓ５０６）。すなわち、Ｓ５０４で確認された空調モードが通常空調モードであるとき、部屋Ａは継続的に人７０が在室し、通常空調モードにより通常設定温度Ｔに制御されている。そのため、制御装置６０は、通常空調モードを維持する通常空調モード処理を実行する。
【００３３】
これに対し、Ｓ５０２において部屋Ａに人７０が検出され、かつＳ５０４で確認された空調モードが急速空調モードであるとき（Ｓ５０７）、制御装置６０は急速空調モード処理へ移行する（Ｓ５０８）。すなわち、Ｓ５０４で確認された空調モードが急速空調モードであるとき、部屋Ａは急速空調が継続されている。そのため、制御装置６０は、部屋Ａの空調を急速空調モードに維持するために急速空調モード処理を実行する。また、Ｓ５０２において部屋Ａに人７０が検出され、かつＳ５０４で確認された空調モードが省エネ空調モードであるとき（Ｓ５０９）、制御装置６０は省エネ空調モードから急速空調モードへ運転を切り替える急速空調モード移行処理へ移行する(Ｓ５１０)。すなわち、Ｓ５０４で確認された空調モードが省エネ空調モードであるとき、部屋Ａは通常設定温度Ｔより負荷が小さく外気温に近い不在時設定温度ｔに制御された状態から通常設定温度Ｔへ制御される状態へ移行する段階にある。そのため、制御装置６０は、省エネ空調モードから急速空調モードへ運転を切り替えるために急速空調モード移行処理を実行する。制御装置６０は、Ｓ５２０における不在時処理、Ｓ５０６における通常空調モード処理、Ｓ５０８における急速空調モード処理、またはＳ５１０における急速空調モード移行処理のいずれかを実行することにより部屋Ａについての処理を終了すると、Ｓ６００における部屋Ｂの処理へ移行する。
【００３４】
Ｓ５０２における人検出処理では、制御装置６０は、図９に示すように部屋Ａの人検出センサ５１が反応したか否かを判断する（Ｓ５１１）。そして、制御装置６０は、Ｓ５１１において人検出センサ５１が反応した場合、部屋Ａに人７０が在室すると判断して部屋Ａについて在室フラグを「オン」にするとともに（Ｓ５１２）、Ｓ５０４へ移行する。また、制御装置６０は、Ｓ５１１において人検出センサ５１が反応しない場合、部屋Ａに人７０が不在であると判断し、Ｓ５０３へ移行する。
【００３５】
（不在時処理）
図１０に基づいて、上述のＳ５０３における不在時処理の流れについて説明する。
制御装置６０は、Ｓ５０２における人検出処理において部屋Ａに人が不在であると判断すると、部屋Ａについて在室フラグが「オン」であるか否かを判断する在室フラグ確認処理を実行する（Ｓ５２１）。在室フラグは、部屋Ａにおける人７０の存在を示すものであり、部屋Ａに人７０の在室が確認されたときＳ３００において「オン」されるとともに、Ｓ５０２における人検出処理おいて部屋Ａに人７０の在室が確認されたときも「オン」される。ここで、不在時処理の場合、Ｓ５０２における人検出処理において部屋Ａに人７０が不在であると判断されているため、制御装置６０は在室フラグを「オフ」にする（Ｓ５２２）。すなわち、制御装置６０は、先に部屋Ａに人７０の在室が確認されたものの、その後に人７０が部屋Ａから出た場合、Ｓ５２２において部屋Ａについての在室フラグを「オフ」にする。
【００３６】
制御装置６０は、Ｓ５２２において部屋Ａの在室フラグを「オフ」にすると、部屋Ａの通常空調フラグを「オフ」にする（Ｓ５２３）。通常空調フラグは、制御の対象となる部屋において通常空調を実施する必要があるとき「オン」になる。しかし、ここで説明している制御対象である部屋Ａに人７０が不在であるとき、部屋Ａの通常空調を継続する必要はない。そのため、制御装置６０は、Ｓ５２２における部屋Ａの在室フラグを「オフ」にするとともに、部屋Ａの通常空調フラグも「オフ」にする。さらに、制御装置６０は、部屋Ａの急速空調フラグを「オフ」にする。部屋Ａに人７０が不在であるとき、部屋Ａは不在時に対応した省エネ空調処理へ移行する。そのため、制御装置６０は、部屋Ａについて通常空調フラグを「オフ」にするとともに、急速空調フラグも「オフ」にする。
【００３７】
制御装置６０は、Ｓ５２１において部屋Ａの在室フラグが「オフ」であると判断したとき（Ｓ５２１：Ｎｏ）、またはＳ５２４において急速空調フラグを「オフ」にすると、部屋Ａ以外の非制御対象部屋の急速空調フラグが「オン」であるか否かを判断する（Ｓ５２５）。図６に示すＳ５００において部屋Ａの空調制御処理を実行しているとき、部屋Ａが制御対象部屋であり、部屋Ａ以外の部屋Ｂ〜Ｄは非制御対象部屋となる。制御装置６０は、これらの非制御対象部屋のいずれかで急速空調フラグが「オン」されているか否かを判断する。家屋１１のように複数の部屋Ａ〜Ｄがある場合、部屋ごとに空調状態が異なる。そのため、制御装置６０は、上記のように部屋Ａ以外の部屋Ｂ〜Ｄのいずれかで急速空調が実施されているか否かを判断する。
【００３８】
制御装置６０は、Ｓ５２５において非制御対象部屋のいずれかで急速空調フラグが「オン」であるとき（Ｓ５２５：Ｙｅｓ）、部屋Ａに接続する空調ダクト２１を開閉弁３１で閉鎖する（Ｓ５２６）。これにより、部屋Ａにおける空調を停止し、急速空調されている他の部屋への冷気または暖気の供給を促進する。一方、制御装置６０は、Ｓ５２５において非制御対象部屋のいずれかで急速空調フラグが「オン」でない、すなわち「オフ」と判断したとき（Ｓ５２５：Ｎｏ）、部屋Ａの温度を取得する（Ｓ５２７）。制御装置６０は、部屋Ａに設けられている温度センサ４１から部屋Ａの温度を取得する。そして、制御装置６０は、Ｓ５２７で取得した部屋Ａの温度と部屋Ａの不在時設定温度ｔとを比較し、部屋Ａを不在時設定温度ｔに制御する。制御装置６０は、空調ダクト２１の開閉弁３１を開閉することにより、部屋Ａを不在時設定温度ｔに制御する。
【００３９】
制御装置６０は、Ｓ５２６において部屋Ａに接続する空調ダクト２１を開閉弁３１で閉鎖、またはＳ５２８において部屋Ａを不在時設定温度ｔに制御すると、部屋Ａについての処理を終了し、Ｓ６００における部屋Ｂの空調制御へ移行する。
【００４０】
（空調モード確認処理）
次に、図７のＳ５０４における空調モード確認処理の流れの詳細について図１１に基づいて説明する。
制御装置６０は、Ｓ５１０における人検出処理において部屋Ａに人７０が在室であると判断すると、部屋Ａの通常空調フラグが「オン」であるか否かを判断する（Ｓ５３１）。制御装置６０は、部屋Ａの通常空調フラグが「オン」であると判断したとき（Ｓ５３１：Ｙｅｓ）、部屋Ａの通常空調を継続するために、Ｓ５０５へ移行して部屋Ａを通常空調モードに維持する。一方、制御装置６０は、Ｓ５３１において部屋Ａの通常空調フラグが「オン」でないと判断したとき（Ｓ５３１：Ｎｏ）、部屋Ａの温度が通常温度範囲ΔＴ内にあるか否かを判断する（Ｓ５３２）。制御装置６０は、部屋Ａの温度センサ４１から部屋Ａの温度を取得する。そして、制御装置６０は、取得した温度が通常温度範囲ΔＴ内、すなわち通常外気温側限界温度Ｔｃ１と通常反外気温側限界温度Ｔｃ２との間にあるか否かを判断する。
【００４１】
制御装置６０は、部屋Ａの温度が通常温度範囲ΔＴ内にあると判断したとき（Ｓ５３２：Ｙｅｓ）、部屋Ａについて通常空調を実施する通常空調フラグを「オン」にするとともに（Ｓ５３３）、部屋Ａについて急速空調を実施する急速空調フラグを「オフ」にする（Ｓ５３４）。制御装置６０は、Ｓ５３３において部屋Ａの通常空調フラグを「オン」にし、Ｓ５３５において部屋Ａの急速空調フラグを「オフ」にすると、Ｓ５０５に移行して部屋Ａを通常空調モードに維持する。
【００４２】
制御装置６０は、Ｓ５３２において部屋Ａの温度が通常温度範囲ΔＴ内にないと判断したとき（Ｓ５３２：Ｎｏ）、部屋Ａの急速空調フラグが「オン」であるか否かを判断する（Ｓ５３５）。部屋Ａの温度が通常温度範囲ΔＴ内にないとき、部屋Ａを通常設定温度Ｔへ移行させるために急速空調が必要となる。この場合、直前の処理において部屋Ａについて急速空調が必要であると判断され、部屋Ａについて急速空調フラグが「オン」されていれば、部屋Ａについてはすでに急速空調モードへ移行しており、再度急速空調フラグを「オン」にする必要がない。そこで、制御装置６０は、Ｓ５３５において部屋Ａの急速空調フラグが「オン」であるか否かを判断し、急速空調フラグが「オン」であれば（Ｓ５３５：Ｙｅｓ）、急速空調モードにあると判断してＳ５０７へ移行して部屋Ａを急速空調モードに維持する。また、制御装置６０は、急速空調フラグが「オン」でなければ（Ｓ５３５：Ｎｏ）、省エネ空調モードにあると判断してＳ５０９へ移行し、部屋Ａを急速空調するためにＳ５１０における急速空調モード移行処理へ移行する。
【００４３】
（急速空調モード移行処理）
図１２に基づいて、急速空調モード移行処理の流れを説明する。
制御装置６０は、図１１に示すＳ５３５において部屋Ａの急速空調フラグが「オン」でないとき、上述のように急速空調モード移行処理へ移行する。制御装置６０は、Ｓ５０２において部屋Ａへの人７０の入室を確認すると、部屋Ａについて在室フラグを「オン」にする（Ｓ５９１）。そして、制御装置６０は、部屋Ａについて急速空調モードへ移行させるために、部屋Ａについて急速空調フラグを「オン」にする（Ｓ５９２）。さらに、制御装置６０は、部屋Ａについて急速空調を実施するために、部屋Ａに接続する空調ダクト２１の開閉弁３１を全開にする（Ｓ５９３）。
【００４４】
（通常空調モード処理）
図１３に基づいて、通常空調モード処理について説明する。
制御装置６０は、図１１に示すＳ５３１で部屋Ａの通常空調フラグが「オン」であると判断されたとき（Ｓ５３１：Ｙｅｓ）、およびＳ５３２で部屋Ａの温度が通常温度範囲ΔＴ内であると判断されたとき（Ｓ５３２：Ｙｅｓ）、通常空調モード処理へ移行する。
【００４５】
制御装置６０は、図１１に示す空調モード確認処理において、部屋Ａについて通常空調モード処理であると判断すると、部屋Ａの温度を取得する（Ｓ５５１）。制御装置６０は、部屋Ａに設けられている温度センサ４１から部屋Ａの温度を取得する。制御装置６０は、Ｓ５５１で部屋Ａの温度を取得すると、急速空調フラグが「オン」の非制御対象部屋があるか否かを判断する（Ｓ５５２）。すなわち、制御装置６０は、制御対象部屋である部屋Ａ以外の非制御対象部屋である部屋Ｂ〜Ｄのいずれかで急速空調フラグが「オン」つまり急速空調が実施されている部屋があるか否かを判断する。例えば部屋Ａに人７０が在室している場合、他の部屋Ｂ〜Ｄに他の人７０が入室することがある。部屋Ａにのみ人７０が在室している場合、部屋Ａは通常空調モードで空調が実施され、他の部屋Ｂ〜Ｄは省エネ空調モードで空調が実施される。ここで、他の人７０が部屋Ｂ〜Ｄに入室すると、人７０が入室した部屋Ｂ〜Ｄは急速空調モードへ移行する。そこで、制御装置６０は、制御対象部屋である部屋Ａが通常空調モードであるとき、他の非制御対象部屋のうち急速空調が実施されている部屋があるか否かを判断する。
【００４６】
制御装置６０は、Ｓ５５２において急速空調フラグが「オン」の部屋があると判断すると（Ｓ５５２：Ｙｅｓ）、非制御対象部屋である部屋Ｂ〜Ｄのうち急速空調が実施されている部屋を抽出する（Ｓ５５３）。ここでは、例として部屋Ｃにおいて急速空調が実施されているとする。制御装置６０は、急速空調が実施されている部屋を抽出すると、急速空調が実施されているとして抽出した部屋の温度（室温）を取得する（Ｓ５５４）。すなわち、制御装置６０は、部屋Ｃに設けられている温度センサ４３から部屋Ｃの温度を取得する。制御装置６０は、抽出した部屋に制御対象部屋である部屋Ａの通常外気温側限界温度Ｔｃ１より外気温に近い温度の部屋があるか否かを判断する（Ｓ５５５）。すなわち、制御装置６０は、抽出した部屋Ｃの温度と制御対象部屋である部屋Ａの通常外気温側限界温度Ｔｃ１とを比較する。そして、部屋Ｃの温度が部屋Ａの通常外気温側限界温度Ｔｃ１よりも外気温に近いか否かを判断する。例えば、制御装置６０は、冷房時であれば部屋Ｃの温度が部屋Ａの通常外気温側限界温度Ｔｃ１より高いか否か、暖房時であれば部屋Ｃの温度が部屋Ａの通常外気温側限界温度Ｔｃ１より低いか否かを判断する。
【００４７】
制御装置６０は、抽出した部屋に部屋Ａの通常外気温側限界温度Ｔｃ１より外気温に近い温度部屋があると判断した場合（Ｓ５５５：Ｙｅｓ）、制御対象部屋である部屋Ａについて温度制御制限フラグを「オン」にする（Ｓ５５６）。すなわち、制御装置６０は、抽出した部屋Ｃの温度が部屋Ａの通常外気温側限界温度Ｔｃ１より外気温に近いとき、部屋Ａについて温度制御制限フラグを「オン」にする。例えば、制御装置６０は、冷房時であれば部屋Ｃの温度が部屋Ａの通常外気温側限界温度Ｔｃ１よりも高いとき、暖房時であれば部屋Ｃの温度が部屋Ａの通常外気温側限界温度Ｔｃ１よりも低いとき、部屋Ａの温度制御制限フラグを「オン」にする。
【００４８】
そして、制御装置６０は、部屋Ａについて温度を制御する範囲のうち外気温から遠い側の境界値Ｂｆを通常設定温度Ｔに変更する（Ｓ５５７）。制御装置６０は、部屋Ａに対し通常空調モードで空調を実施するとき、通常設定温度Ｔを挟んで通常外気温側限界温度Ｔｃ１と通常反外気温側限界温度Ｔｃ２との間を通常温度範囲ΔＴとして制御する。ここで、Ｓ５５６において温度制御制限フラグが「オン」されると、制御装置６０は部屋Ａに対し通常空調モードで空調を実施するときでも、部屋Ａについて温度を制御する範囲のうち外気温から遠い側の境界値Ｂｆを通常設定温度Ｔに変更する。例えば、部屋Ａについて通常設定温度Ｔ＝２５℃として冷房を実施する場合、部屋Ａは通常外気温側限界温度Ｔｃ１＝２６℃と通常反外気温側限界温度Ｔｃ２＝２４℃との間を通常温度範囲ΔＴとして温度制御される。この場合、温度制御制限フラグが「オン」されると、部屋Ａの温度制御の範囲のうち外気温から遠い側の境界値Ｂｆは通常設定温度Ｔである２５℃、すなわちＢｆ＝２５℃に設定される。その結果、部屋Ａは、冷房時の通常設定温度ＴがＴ＝２５℃であるとき、２５℃を下限として、２５℃から２６℃の間で温度制御される。また、部屋Ａについて通常設定温度Ｔ＝２５℃として暖房を実施する場合、部屋Ａは通常外気温側限界温度Ｔｃ１＝２４℃と通常反外気温側限界温度Ｔｃ２＝２６℃との間を通常温度範囲ΔＴとして温度制御される。この場合、温度制御フラグが「オン」されると、部屋Ａの温度制御の範囲のうち外気温から遠い境界値Ｂｆは通常設定温度Ｔである２５℃、すなわちＢｆ＝２５℃に設定される。その結果、部屋Ａは、暖房時の通常設定温度ＴがＴ＝２５℃であるとき、２５℃を上限として、２４℃から２５℃の間で温度制御される。
【００４９】
制御装置６０は、Ｓ５５５において抽出した部屋に部屋Ａの通常外気温側限界温度Ｔｃ１より外気温に近い温度部屋がないと判断した場合（Ｓ５５５：Ｎｏ）、制御対象部屋である部屋Ａについて温度制御制限フラグを「オフ」にする（Ｓ５５８）。すなわち、制御装置６０は、抽出した部屋Ｃの温度が部屋Ａの通常外気温側限界温度Ｔｃ１より外気温から遠いとき、部屋Ａについて温度制御制限フラグを「オフ」にする。例えば、制御装置６０は、冷房時であれば部屋Ｃの温度が部屋Ａの通常外気温側限界温度Ｔｃ１よりも低いとき、暖房時であれば部屋Ｃの温度が部屋Ａの通常外気温側限界温度Ｔｃ１よりも高いとき、部屋Ａの温度制御制限フラグを「オフ」にする。そして、制御装置６０は、部屋Ａについて温度を制御する範囲のうち外気温から遠い側の境界値Ｂｆを通常反外気温側限界温度Ｔｃ２に戻す（Ｓ５５９）。すなわち、制御装置６０は、通常通り部屋Ａについて通常反外気温側限界温度Ｔｃ２を外気温から遠い側の境界値Ｂｆとして部屋Ａの温度を制御する。
【００５０】
制御装置６０は、Ｓ５５２において急速空調フラグが「オン」の部屋がないと判断すると（Ｓ５５２：Ｎｏ）、部屋Ａの温度制御制限フラグが「オン」になっているか否かを判断する（Ｓ５６１）。部屋Ａにおける前回の処理において、Ｓ５５６で温度制御制限フラグが「オン」されていることがある。そのため、制御装置６０は、急速空調フラグが「オン」の非制御対象部屋がないと判断したとき、部屋Ａについて温度制御制限フラグが「オン」になっているか否かを判断する。そして、制御装置６０は、部屋Ａの温度制御制限フラグが「オン」になっていると判断したとき（Ｓ５６０：Ｙｅｓ）、部屋Ａについて温度制御制限フラグを「オフ」にするとともに（Ｓ５６１）、部屋Ａについて温度を制御する範囲のうち外気温から遠い側の境界値Ｂｆを通常反外気温側限界温度Ｔｃ２に戻す（Ｓ５６２）。すなわち、制御装置６０は、部屋Ａについて空調を制限した間に非制御対象部屋の急速空調が終了した場合、温度制御制限フラグを「オフ」にして、Ｓ５５９と同様に外気温から遠い側の境界値Ｂｆを通常反外気温側限界温度Ｔｃ２に戻す。
制御装置６０は、Ｓ５５１で取得した部屋Ａの温度と、Ｓ５５７で設定した境界値Ｂｆ、またはＳ５５９もしくはＳ５６２で戻した通常反外気温側限界温度Ｔｃ２とを比較して、部屋Ａの通常空調を実施する。
【００５１】
上記の通常空調モード処理を利用した冷房時における温度変化を図１４に基づいて説明する。図１４は、上記の制御を説明するための部屋Ａおよび部屋Ｃにおける温度変化の例である。図１４では、制御対象部屋を部屋Ａとし、非制御対象部屋のうち急速空調が実施される部屋を部屋Ｃとし、部屋Ａおよび部屋Ｃを冷房する例を示す。制御対象部屋である部屋Ａは、人７０が在室し、通常設定温度ＴＡ＝２０℃、通常外気温側限界温度Ｔｃ１Ａ＝２１℃、通常反外気温側限界温度Ｔｃ２Ａ＝１９℃に設定され、通常空調モード処理が実施されているとする。一方、非制御対象部屋である部屋Ｃは、不在時設定温度ｔＣ＝２８℃である時間τ＝０のとき、人７０が入室したとし、省エネ空調モードから急速空調モードへ移行したとする。この部屋Ｃは、通常設定温度ＴＣ＝１８℃、通常外気温側限界温度Ｔｃ１Ｃ＝１９℃、通常反外気温側限界温度Ｔｃ２Ｃ＝１７℃に設定されている。
【００５２】
τ＝０のとき、部屋Ｃは不在時設定温度ｔＣ＝２８℃であり、部屋Ａは通常設定温度ＴＡ＝２０℃である。このとき、部屋Ｃに人７０が入室すると、部屋Ｃは急速空調モードへ移行する。そのため、制御装置６０は、急速空調モードが実施されているとして抽出した部屋Ｃの温度と部屋Ａの温度とを比較する。τ＝０のとき、部屋Ｃの温度は制御対象部屋である部屋Ａの温度より高いため、制御装置６０は部屋Ａについて温度制御制限フラグを「オン」にする。これにより、制御装置６０は、部屋Ａを冷房する際の下限温度を部屋Ａの設定温度であるＴＡ＝２０℃に設定する。また、制御装置６０は、部屋Ａに接続する空調ダクト２１の開閉弁３１を全閉にし、部屋Ｃに接続する空調ダクト２３の開閉弁３３を全開にする。そのため、部屋Ｃは、急速空調モードとして、空調ユニット１２で生成した冷気が集中して供給される。
【００５３】
冷気は部屋Ｃへ集中して供給されるため、部屋Ａの温度はτ＝０からτ１にかけて徐々に上昇する。一方、部屋Ｃの温度は、τ＝０からτ１にかけて急速に低下する。徐々に上昇する部屋Ａの温度は、τ１になると部屋Ａの通常外気温側限界温度Ｔｃ１Ａ＝２１℃に達する。そのため、制御装置６０は、部屋Ａに接続する空調ダクト２１の開閉弁３１を開き、空調ユニット１２で生成した冷気を部屋Ａにも供給する。すなわち、空調ユニット１２で生成した冷気は、急速空調モードが実施されている部屋Ｃと、通常空調モードが実施されている部屋Ａとに配分される。これにより、部屋Ｃにおける温度の低下は、τ１からτ２にかけて時間τ＝０からτ１までと比較して緩やかになる。また、部屋Ａの温度も、τ１からτ２にかけて低下する。
【００５４】
τ２になると、部屋Ａの温度は、通常設定温度であるＴＡ＝２０℃まで低下する。ここで、通常であれば、図１４の破線および記号「■」で示すように、制御装置６０は部屋Ａの温度を通常反外気温側限界温度Ｔｃ２Ａ＝１９℃まで低下させる。しかし、部屋Ｃが急速空調されているとき、部屋Ａの温度制御制限フラグが「オン」され、下限温度は部屋Ａの通常設定温度であるＴＡ＝２０℃に制限されている。そのため、制御装置６０は、τ２になり部屋Ａの温度がＴＡ＝２０℃になると、部屋Ａに接続する空調ダクト２１の開閉弁３１を全閉にする。その結果、部屋Ａの温度は、τ２からτ３にかけて再び上昇する。一方、部屋Ａに接続する空調ダクト２１の開閉弁３１が全閉になることにより、τ２からτ３にかけて部屋Ｃは再び空調ユニット１２からの冷気が集中して供給される。そのため、部屋Ｃの温度は、τ＝０からτ１までと同様の傾きで急速に低下する。また、部屋Ｃは、部屋Ａについて記号「■」で示すように通常の温度制御を実施すると、図１４の破線および記号「□」で示すように温度の変化が緩やかになる。しかし、部屋Ａの温度制御の下限をＴＡ＝２０℃に設定することにより、部屋Ｃにはより早期から集中して冷気が供給される。
【００５５】
τ３になると、部屋Ａの温度は、再びＴｃ１Ａ＝２１℃に達するため、制御装置６０は部屋Ａに接続する空調ダクト２１の開閉弁３１を全開にする。そのため、部屋Ａの温度は、ＴＡ＝２０℃まで低下する。一方、空調ユニット１２から冷気は部屋Ａおよび部屋Ｃへ配分されるため、部屋Ｃの温度の低下はτ１からτ２と同様に緩やかになる。そして、τ４になると、部屋Ａの温度はＴＡ＝２０℃に達する。
【００５６】
τ４からτ６までの間は、上述のτ２からτ４までの間と同様に制御される。ここで、部屋Ｃの温度は、τ５を過ぎたτａになると、部屋Ａの通常外気温側限界温度Ｔｃ１Ａ＝２１℃を下回る。制御装置６０は、部屋Ｃの温度がＴｃ１Ａ＝２１℃を下回ると（Ｓ５５５参照）、部屋Ａについて温度制御制限フラグを「オフ」にし、部屋Ａについて温度制御の下限を通常反外気温側限界温度Ｔｃ２Ａ＝１９℃に設定する。これにより、制御装置６０は、部屋Ａについて通常空調モードとして温度の制御を実施する。その結果、部屋Ａは、Ｔｃ１Ａ＝２１℃とＴｃ２Ａ＝１９℃の間で温度が制御される。
【００５７】
一方、部屋Ｃの温度は、τ７を過ぎたτｂになると、部屋Ｃの通常設定温度ＴＣ＝１８℃を下回る。制御装置６０は、部屋Ｃの温度がＴＣ＝１８℃を下回ると、部屋Ｃの空調モードを急速空調モードから通常空調モードへ移行させる。これにより、制御装置６０は、部屋Ｃについて通常空調モードとして温度の制御を実施する。その結果、部屋Ｃは、Ｔｃ１Ｃ＝１９℃とＴｃ２Ｃ＝１７℃との間で温度が制御される。
【００５８】
上記のように部屋Ａおよび部屋Ｃについて温度を制御することにより、τ２からτ６にかけて部屋Ａの温度制御の下限が通常設定温度であるＴＡ＝２０℃になるものの、部屋Ｃの温度はより迅速に低下する。そのため、部屋Ｃは、通常の制御に比較して迅速に温度が低下する。その結果、部屋Ｃに入室した人７０に与える不快感は、より早期に低減される。また、部屋Ａについても、温度制御の下限が通常反外気温側限界温度Ｔｃ２Ａ＝１９℃から通常設定温度ＴＡ＝２０℃に変更されるに過ぎない。そのため、部屋Ａに在室している人７０も、部屋Ｃの急速空調にともなう空調の制限をほとんど感じることがない。その結果、部屋Ａに在室している人７０に対しても、不快感を増すことがない。
【００５９】
（急速空調モード処理）
図１５に基づいて、急速空調モード処理の流れを説明する。
制御装置６０は、図１１に示すＳ５３５において部屋Ａの急速空調フラグが「オン」であるとき、上述のように急速空調モード処理を維持する。制御装置６０は、まず制御対象部屋である部屋Ａを含む各部屋の熱容量Ｃｚが取得済みであるか否かを判断する（Ｓ５７１）。すなわち、制御装置６０は、図８に示す処理によって各部屋の熱容量を取得したか否かを判断する。以下、部屋Ａの熱容量を熱容量Ｃｚａ、部屋Ｂの熱容量をＣｚｂ、部屋Ｃの熱容量をＣｚｃ、および部屋Ｄの熱容量をＣｚｄとする。
【００６０】
制御装置６０は、Ｓ５７１において各部屋の熱容量Ｃｚが取得済みであると判断すると（Ｓ５７１：Ｙｅｓ）、各部屋の空調に必要な各部屋空調熱量Ｈを算出する（Ｓ５７２）。部屋Ａから部屋Ｄは、通常空調モードであれば通常設定温度Ｔに維持、省エネ空調モードであれば不在時設定温度ｔに維持、および急速空調モードであれば通常設定温度Ｔに向けて空調が実行される。このとき、制御装置６０は、温度センサ４１〜４４で検出した各部屋の現在の温度Ｔｎと、目標温度である通常設定温度Ｔまたは不在時設定温度ｔとの差を算出する。この各部屋における現在の温度と目標である通常設定温度Ｔまたは不在時設定温度ｔとの温度差は、各部屋制御温度差Ｔｉ＝Ｔ−ＴｎまたはＴｉ＝ｔ−Ｔｎとして算出される。すなわち、部屋Ａにおける各部屋制御温度差はＴｉａ、部屋Ｂにおける各部屋制御温度差はＴｉｂ、部屋Ｃにおける各部屋制御温度差はＴｉｃ、部屋Ｄにおける各部屋制御温度差はＴｉｄとなる。
【００６１】
制御装置６０は、算出した各部屋制御温度差Ｔｉと、既に取得した熱容量Ｃｚとから各部屋ごとに各部屋空調熱量Ｈを算出する。具体的には、部屋Ａにおける各部屋空調熱量Ｈａは、Ｈａ＝熱容量Ｃｚａ×Ｔｉａとして算出される。同様に部屋Ｂにおける各部屋空調熱量ＨｂはＨｂ＝Ｃｚｂ×Ｔｉｂ、部屋Ｃにおける各部屋空調熱量ＨｃはＨｃ＝Ｃｚｃ×Ｔｉｃ、部屋Ｄにおける各部屋空調熱量ＨｄはＨｄ＝Ｃｚｄ×Ｔｉｄとして算出される。これにより、部屋Ａ、部屋Ｂ、部屋Ｃおよび部屋Ｄについて、それぞれ各部屋空調熱量Ｈａ、Ｈｂ、Ｈｃ、Ｈｄが算出される。ここで、仮に各部屋を冷房している場合、現在の温度Ｔｎが目標温度である通常設定温度Ｔまたは不在時設定温度ｔよりも低いとき、各部屋への空調は不要である。したがって、冷房時にＴｎ＜ＴまたはＴｎ＜ｔとなるとき、制御装置６０は、各部屋空調熱量ＨをＨ＝０に設定する。また、仮に各部屋を暖房している場合、現在の温度Ｔｎが目標温度である通常設定温度Ｔまたは不在時設定温度ｔよりも高いとき、各部屋への空調は不要である。したがって、暖房時にＴｎ＞ＴまたはＴｎ＞ｔなるとき、制御装置６０は、各部屋空調熱量ＨをＨ＝０に設定する。
【００６２】
制御装置６０は、各部屋空調熱量Ｈａ、Ｈｂ、Ｈｃ、Ｈｄを算出すると、この各部屋空調熱量Ｈａ、Ｈｂ、Ｈｃ、Ｈｄの総和であるＨｔが空調ユニット１２の最大空調能力Ｈｍａｘ以上であるか否かを判断する（Ｓ５７３）。すなわち、制御装置６０は、Ｓ５７２において算出した各部屋空調熱量Ｈａ、Ｈｂ、Ｈｃ、Ｈｄの総和をＨｔ＝Ｈａ＋Ｈｂ＋Ｈｃ＋Ｈｄとして算出し、算出した総和Ｈｔと最大空調能力Ｈｍａｘとの関係がＨｔ≧Ｈｍａｘであるか否かを判断する。この最大空調能力Ｈｍａｘは、空調ユニット１２の能力として予め設定されている供給熱量（Ｊ）に相当する。つまり、制御装置６０は、各部屋Ａ〜Ｄで空調のために要求される熱量が空調ユニット１２が供給可能な熱量の最大値に到達しているか否かを判断する。
【００６３】
制御装置６０は、各部屋空調熱量の総和Ｈｔが最大空調能力Ｈｍａｘ以上であると判断すると（Ｓ５７３：Ｙｅｓ）と、空調ユニット１２を最大能力で運転するとともに、各部屋の開閉弁３１〜３４を各部屋空調熱量Ｈに応じた開放率Ｑに制御する（Ｓ５７４）。すなわち、制御装置６０は、空調ユニット１２で生成された冷気または暖気を、各部屋空調熱量に応じて各部屋に比例配分する。具体的には、制御装置６０は、部屋Ａの開閉弁３１の開放率Ｑａを、Ｑａ＝Ｈａ／Ｈｔ（％）として設定する。同様に、制御装置６０は、部屋Ｂの開閉弁３２の開放率ＱｂをＱｂ＝Ｈｂ／Ｈｔ、部屋Ｃの開閉弁３３の開放率ＱｃをＱｃ＝Ｈｃ／Ｈｔ、部屋Ｄの開閉弁３４の開放率ＱｄをＱｄ＝Ｈｄ／Ｈｔとして設定する。これにより、最大能力で運転されている空調ユニット１２からは、各部屋へ必要な熱量に応じて比例配分された冷気または暖気が供給される。その結果、より大きな熱量が必要な部屋では迅速に室温が変化するとともに、比較的必要な熱量が小さな部屋でも不快感が低減される。
【００６４】
一方、制御装置６０は、各部屋空調熱量の総和Ｈｔが最大空調能力Ｈｍａｘ以上でない、すなわち総和Ｈｔが最大空調能力Ｈｍａｘ未満であると判断すると（Ｓ５７３：Ｎｏ）、各部屋空調熱量の総和Ｈｔに応じた能力で空調ユニット１２を運転するとともに、各部屋の開閉弁３１〜３４を各部屋空調熱量Ｈに相当する開放率Ｑに制御する（Ｓ５７５）。すなわち、制御装置６０は、空調ユニット１２で生成された冷気または暖気を、各部屋で要求される熱量に応じて配分する。具体的には、制御装置６０は、部屋Ａ〜部屋Ｄへ各部屋で必要とされる熱量の冷気または暖気が供給されるように開閉弁３１〜３４の開放率を制御する。これにより、各部屋空調熱量の総和Ｈｔに応じて運転されている空調ユニット１２からは、各部屋に必要とされる熱量に相当する冷気または暖気が供給される。その結果、各部屋は、いずれも必要な熱量に応じて適切な温度に制御される。
また、制御装置６０は、Ｓ５７１において各部屋の熱容量Ｃｚが取得済みでないと判断すると（Ｓ５７１：Ｎｏ）、図１５に示すような熱容量に応じた開閉弁の開放率の設定を行うことなく、図１２および図１３に示す処理にしたがって急速空調が必要な部屋について急速空調を実行する。
【００６５】
本実施形態では、制御装置６０は、所定の時期に各部屋の熱容量Ｃｚを算出している。家屋１１の各部屋Ａ〜Ｄは、例えば南向きであるか北向きであるか、日中であるか夜間であるか、あるいは夏季であるか冬季であるかなどの季節や時間帯によって、各部屋の温度を制御するために必要な熱量が日々刻々と変化する。すなわち、各部屋の温度を１℃上昇または下降させるために必要な熱量は、各部屋の位置、季節あるいは時間帯などによって異なる。そこで、制御装置６０は、所定の時期すなわち所定の間隔で各部屋の熱容量Ｃｚを算出することにより、現在の温度と目標温度との温度差から当該部屋の温度を制御するために必要な熱量を算出する。そして、制御装置６０は、算出した熱量に応じて空調ユニット１２から各部屋へ熱量に応じた冷気または暖気を配分している。これにより、各部屋の位置や時間帯などの条件に応じて各部屋へ適正な熱量を供給することができ、各部屋において快適性を損なうことなく迅速に空調を行うことができる。
【００６６】
上記の図１５に示すような熱容量に応じて開閉弁の開放率を設定した場合における各部屋の温度変化について図１６および図１７を用いて説明する。
ここでは、説明の簡単のために空調ユニットの最大空調能力を１００ｋＪとする。また、図１６では、暖房時において部屋Ａおよび部屋Ｂを急速空調する例を示している。また、部屋Ａの各部屋熱容量は熱容量Ｃｚａ＝２０ｋＪ／℃とし、部屋Ａの各部屋制御温度差ＴｉａはＴｉａ＝５℃とする。さらに、部屋Ｂの各部屋熱容量はＨｂ＝１０ｋＪ／℃とし、部屋Ｂの各部屋制御温度差ＴｉｂはＴｉｂ＝１℃とする。これにより、部屋Ａについての各部屋空調熱量ＨａはＨａ＝熱容量Ｃｚａ×Ｔｉａ＝２０×５＝１００ｋＪとなり、部屋Ｂについての各部屋空調熱量ＨｂはＨｂ＝Ｃｚｂ×Ｔｉｂ＝１０×１＝１０ｋＪとなる。したがって、各部屋空調熱量の総和ＨｔはＨｔ＝１００＋１０＝１１０ｋＪとなる。よって、各部屋空調熱量ＨａおよびＨｂと各部屋空調熱量の総和Ｈｔとから、部屋Ａにおける開閉弁３１の開放率ＱａはＱａ＝１００／１１０≒９１％に設定され、部屋Ｂにおける開閉弁３２の開放率ＱｂはＱｂ＝１０／１１０≒９％に設定される。
【００６７】
この図１６に示す例の場合、急速空調を開始した時間ｔ０において、各部屋制御温度差がより大きな部屋Ａは、開閉弁３１の開放率Ｑａ＝９１％と部屋Ｂの開閉弁３２の開放率Ｑｂ＝９％よりも大きくなる。そのため、部屋Ａには、部屋Ｂに比較してより多くの熱量が供給される。すなわち、部屋Ｂに比較して不快感の高い部屋Ａには、空調ユニット１２から優先的に熱量すなわち暖気が供給される。これにより、部屋Ａの温度は迅速に上昇する。時間が経過するにしたがって部屋Ａの温度は徐々に上昇し、通常設定温度Ｔに近づいていく。そのため、部屋Ａは、時間の経過とともに各部屋制御温度差Ｔｉａが減少する。これにより、時間の経過とともに部屋Ａに必要な熱量が減少し、開閉弁３１の開放率も減少する。その結果、部屋Ａの暖房に必要な暖気が充足し、過剰となった暖気を部屋Ｂへ供給するために開閉弁３２の開放率が増大する。すなわち、部屋Ａの温度の上昇とともに部屋Ａの開閉弁３１の開放率は減少するのに対し、部屋Ｂの開閉弁３２の開放率は増大する。したがって、部屋Ａおよび部屋Ｂは、いずれも設定温度Ｔに向けて温度が変化する。そして、部屋Ａおよび部屋Ｂの温度がいずれも設定温度Ｔに到達すると、部屋Ａおよび部屋Ｂは通常空調モードへ移行する。
【００６８】
図１７では、部屋Ａを急速空調モード、部屋Ｂを通常空調モード、部屋Ｃを不在時空調モードで暖房制御する例を示している。すなわち、不在時空調モードで制御されている部屋Ａおよび部屋Ｃがあり、通常空調モードで制御されている部屋Ｂがあるとき、部屋Ａに人７０が入室した場合に相当する。そのため、部屋Ａにおける各部屋制御温度差Ｔｉａと部屋Ｂにおける各部屋制御温度差Ｔｉｂとを比較すると、Ｔｉａ＞＞Ｔｉｂとなる。なお、部屋Ａと同様に部屋Ｃも不在時空調モードで制御されているため、Ｔｉａ≒Ｔｉｃとなっている。
【００６９】
このように、部屋Ａにおける各部屋制御温度差Ｔｉａに比較して部屋Ｂにおける各部屋制御温度差Ｔｉｂが小さいとき、部屋Ｂに供給すべき熱量は急速空調すべき部屋Ａへ配分される。そのため、部屋Ａについて急速空調を開始した時間ｔ０からのわずかな期間では部屋Ｂへの熱量の供給がわずかとなり、部屋Ｂの温度は若干低下する。一方、時間の経過とともに部屋Ａの温度が上昇するため、熱量は部屋Ｂへ徐々に供給が再開される。その結果、部屋Ｂの温度は、部屋Ａの急速空調開始の初期にわずかに低下するものの、すぐに上昇へ移行する。また、不在時空調モードで制御されている部屋Ｃは、部屋Ａについて急速空調を実行している間、熱量の供給が停止される。そのため、部屋Ｃの温度は、部屋Ａについて急速空調を実行している間、低下する。そして、部屋Ａについての急速空調が停止されると、部屋Ｃは再び不在時設定温度ｔに向けて空調が再開される。
以上のように、部屋Ａと部屋Ｂとの間で各部屋制御温度差Ｔｉａ、Ｔｉｂが大きく異なっている場合でも、部屋Ｂの温度は目標温度である通常設定温度Ｔを大きく下回ることなく制御される。したがって、他の部屋の快適性を損なうことなく部屋Ａについての急速空調を実行することができる。
【００７０】
上述の実施形態の場合、例えば部屋Ａの一部屋だけを急速空調するとき、他の部屋Ｂ〜Ｄへの空調を制限しつつ部屋Ａへ供給する熱量を大きくすることにより、部屋Ａは迅速に通常設定温度Ｔに到達する。一方、部屋Ａへ供給する熱量を大きくすることにより、部屋Ｂ〜Ｄへ供給する熱量が小さくなり、部屋Ｂ〜Ｄは通常設定温度Ｔまたは不在時設定温度ｔよりも冷房時であれば高温側、暖房時であれば低温側へ変化する。また、例えば部屋Ａおよび部屋Ｂの二部屋を急速空調するとき、空調ユニット１２が供給可能な最大空調能力Ｈｍａｘを上回るおそれがある。このように特定の部屋の空調を優先したり、空調ユニット１２の最大空調能力Ｈｍａｘ以上の空調を必要とする場合、本実施形態のように各部屋の熱容量Ｃｚを考慮することにより、各部屋の快適性の低下を最小限に抑えつつ急速空調が必要な部屋に冷気または暖気を優先的に供給することができる。
【００７１】
すなわち、上記で説明したように、複数の部屋Ａ〜Ｄは、その部屋の容積、季節、時間帯、日照時間などの環境の変化に応じて、室内の温度を１℃変化させるために必要な熱量つまり熱容量Ｃｚが異なる。より具体的には、例えば同一の部屋Ａについても、冷房を実行する夏季の昼間と夜間とでは、室内の温度を１℃降下させるために必要な熱量は、夜間に比較して昼間において著しく大きくなる。このような夏季の昼間に、部屋Ａを通常設定温度Ｔに維持するためであっても、多くの熱量を必要とする。このように、通常設定温度Ｔや不在時設定温度ｔに変化がなくても、不在時設定温度ｔから通常設定温度Ｔへ急速空調を実行する場合、通常設定温度Ｔを維持する場合、または不在時設定温度ｔを維持する場合に、各部屋で必要な熱量は時々刻々と変化する。そこで、本実施形態のように熱容量Ｃｚに着目することにより、単に各部屋における現在の温度と目標とする通常設定温度Ｔや不在時設定温度ｔとの差だけでなく、各部屋の温度の制御に必要な熱量に基づいて空調ユニット１２から各部屋の効果的な熱量の供給が可能となる。
【００７２】
例えば、部屋Ａで急速空調を実行している場合、部屋Ａで要求される各部屋空調熱量Ｈａは、他の部屋に比較して大きくなる。これに対し、通常設定温度Ｔまたは不在時設定温度ｔに制御されている他の部屋は、必要となる各部屋空調熱量Ｈが部屋Ａの各部屋空調熱量Ｈａよりも小さくなる。ここで、既に通常設定温度Ｔまたは不在時設定温度ｔに維持されている他の部屋であっても、部屋の向きや時間帯によっては熱容量Ｃｚが大きくなる場合がある。この場合、各部屋で必要な各部屋空調熱量Ｈは、熱容量Ｃｚとその部屋における目標となる温度までの温度差ΔＴとの積で算出される。そのため、各部屋について要求される各部屋空調熱量Ｈは、熱容量Ｃｚの大小すなわち各部屋の温度の変化しやすさが反映される。
【００７３】
このように本実施形態では、各部屋空調熱量Ｈに熱容量Ｃｚを考慮して、この各部屋の熱容量Ｃｚに基づいて空調ユニット１２から各部屋へ配分する熱量を算出している。すなわち、すべての部屋Ａ〜Ｄで必要となる各部屋空調熱量Ｈａ〜Ｈｄの総和が空調ユニット１２の最大空調能力Ｈｍａｘ未満であれば、各部屋で必要となる熱量つまり算出された各部屋空調熱量に応じた熱量を各部屋へ供給する。一方、各部屋空調熱量の総和が空調ユニット１２の最大空調能力Ｈｍａｘ以上となると、最大空調能力Ｈｍａｘを、各部屋空調熱量Ｈａ〜Ｈｄに応じて比例配分し、配分した結果の熱量を各部屋へ供給する。そのため、大きな熱量を必要とする急速空調処理が必要な部屋や、通常設定温度Ｔまたは不在時設定温度ｔに維持されているものの熱容量Ｃｚの大きな部屋には、熱容量Ｃｚに基づいて算出した各部屋空調熱量Ｈが配分される。これにより、より大きな熱量を必要とする部屋へ優先的により大きな熱量が配分されることになる。その結果、空調ユニット１２の能力の範囲内において、急速空調が必要な部屋ではより最適化された急速空調が実行され、それ以外の部屋では冷房時であれば温度の上昇、暖房時であれば温度の低下など不快な状態への移行が可能な限り先送りされる。そして、時間の経過とともに急速空調が必要な部屋の温度が目標温度に近づくにつれて、急速空調が必要な部屋へ配分すべき熱量は徐々にそれ以外の部屋へ配分される。したがって、急速空調を実行する部屋を迅速に快適な温度へ移行させることができるだけでなく、その他の部屋における不快感の増大を抑えることができる。
【００７４】
以上説明した一実施形態では、制御装置６０は、予め設定された検出時期になると、熱容量算出処理を実行し、複数の部屋Ａ〜Ｄについてそれぞれ熱容量Ｃｚを算出する。具体的には、制御装置６０は、検出時期になると、部屋Ａ〜Ｄのそれぞれについて所定の時間間隔で温度を複数回取得する。このとき、部屋Ａ〜Ｄは、冷気または暖気が供給されて空調が実行されている。制御装置６０は、この所定の時間間隔で取得した各部屋の温度の変化と、空調によって供給されている冷気または暖気の熱量すなわち冷気または暖気の供給量とから、各部屋についての熱容量Ｃｚを算出する。そして、制御装置６０は、急速空調を維持する急速空調モードのとき、既に算出した熱容量Ｃｚを利用して各部屋へ供給すべき熱量すなわち開閉弁３１〜３４の開放率Ｑを設定する。このとき、各部屋について算出した各部屋空調熱量Ｈの総和Ｈｔが空調ユニット１２の最大空調能力Ｈｍａｘ以上であるとき、空調ユニット１２から各部屋へ供給する熱量は不足する。そのため、制御装置６０は、各部屋について算出した各部屋空調熱量Ｈに基づいて、空調ユニット１２の最大空調能力Ｈｍａｘの熱量を比例配分する。これにより、より大きな熱量が必要な部屋に優先してより大きな熱量が供給される。これに対し、各部屋について算出した各部屋空調熱量Ｈの総和Ｈｔが空調ユニット１２の最大空調能力Ｈｍａｘ未満であるとき、空調ユニット１２から各部屋へ供給する熱量は不足がない。そのため、制御装置６０は、各部屋について算出した各部屋空調熱量Ｈに応じた熱量を各部屋へ供給する。これにより、各部屋は、空調ユニット１２から供給された冷気または暖気によって急速に空調される。したがって、時々刻々と変化する各部屋に必要な熱量に応じて、各部屋の温度を迅速に変化させることができる。
【００７５】
また、一実施形態では、制御装置６０は、部屋Ａで通常空調モードを実施しているとき、他の部屋Ｃが急速空調モードへ移行していれば、部屋Ａの空調を制限し、急速空調を実施している部屋Ｃへ冷気または暖気を集中して供給することもできる。これにより、通常空調を実施している部屋Ａにおける不快感を増大させることなく、新たに人７０が入室した部屋Ｃの温度は迅速に変化する。したがって、既に人７０がいる部屋Ａの快適性を損なうことなく、新たに人７０が入室した部屋Ｃの不快感を迅速に低減することができる。
【００７６】
以上説明した本発明は、上記実施形態に限定されるものではなく、その要旨を逸脱しない範囲で種々の実施形態に適用可能である。
【符号の説明】
【００７７】
図面中、１０はセントラル空調システム、１１は家屋、１２は空調ユニット、２１〜２４は空調ダクト、３１〜３４は開閉弁、４１〜４４は温度センサ、５１〜５４は人検出センサ、６０は制御装置、Ａ〜Ｄ：部屋を示す。
【図１】
2011257057.tif 000003
【図２】
2011257057.tif 000004
【図３】
2011257057.tif 000005
【図４】
2011257057.tif 000006
【図５】
2011257057.tif 000007
【図６】
2011257057.tif 000008
【図７】
2011257057.tif 000009
【図８】
2011257057.tif 000010
【図９】
2011257057.tif 000011
【図１０】
2011257057.tif 000012
【図１１】
2011257057.tif 000013
【図１２】
2011257057.tif 000014
【図１３】
2011257057.tif 000015
【図１４】
2011257057.tif 000016
【図１５】
2011257057.tif 000017
【図１６】
2011257057.tif 000018
【図１７】
2011257057.tif 000019